(57)【特許請求の範囲】
【請求項１】
ユーザインタフェースと、広告データベースにアクセスする手段と、制御手段を備えたカラオケ装置であって、
ユーザインタフェースは、制御手段の制御により、利用者に情報を提示するとともに利用者入力情報を受け付け可能とし、
広告データベースは、キャンペーン目録と、広告露出計画集と、複数の広告番組を格納し、
キャンペーン目録は、キャンペーンＩＤと、キャンペーン紹介記事と、露出度と、報酬値とを対応付けし、
広告露出計画集は、キャンペーンＩＤと露出度と広告露出計画のセットを複数含み、
広告露出計画は、少なくとも一つの番組ＩＤと広告出力条件とを含み
広告出力条件は、カラオケ演奏との関係において広告番組の出力機会と頻度を規定し、広告番組は、番組ＩＤに対応付けされた音声作品または映像作品または音声映像作品からなり、
制御手段は、紹介処理と、広告処理と、報酬処理とを可能とし、
紹介処理は、キャンペーン目録に基づいて、キャンペーン紹介記事と露出度別の報酬値を利用者に提示するとともに、キャンペーンＩＤおよび露出度を特定する利用者入力受け付け、
広告処理は、紹介処理で受け付けたキャンペーンＩＤおよび露出度に該当する広告露出計画に基づき、当該計画に規定された広告出力条件で、当該計画中の番組ＩＤの広告番組をカラオケ演奏に関連して出力し、
報酬処理は、広告処理の終了時期に紹介処理で受け付けたキャンペーンＩＤおよび露出度に該当する報酬値を出力する。
【請求項２】
利用者ＩＤと報酬値とを対応付けして記憶した報酬値データベースにアクセスする手段
を備え、
ユーザインタフェースは、利用者ＩＤの入力を可能とし、
紹介処理は、キャンペーンＩＤと露出度に加え、利用者ＩＤの入力を受け付け、
報酬処理は、前記報酬値を紹介処理にて受け付けた利用者ＩＤに対応付けして報酬値データベースに向けて出力する
請求項１に記載のカラオケ装置。
【請求項３】
ＰＯＳシステムと通信する手段を備え、前記報酬処理は、報酬値をＰＯＳシステムに向けて出力する請求項１に記載のカラオケ装置。
【請求項４】
電子マネー機能を備えたＩＣカードと通信し、ＩＣカードに記憶されている電子マネー残高を更新する手段と、報酬値と電子マネー額との対応関係を記憶する手段とを備え、前記報酬処理は、通信中のＩＣカードの記憶残高を報酬値に相当する電子マネー額だけ増額させる請求項１に記載のカラオケ装置。
【発明の詳細な説明】
【技術分野】
【０００１】
この発明は、利用者の希望に応じて広告キャンペーンを実施するカラオケ装置に関し、具体的には、広告キャンペーンへの参加を希望した利用者に対し、カラオケ事業者が提供する各種サービスの代金に充当可能な報酬値を付与できるカラオケ装置に関する。
【背景技術】
【０００２】
周知のとおり、キャンペーンとは、企業が一定期間を設定し、その期間内に特定の目標を達成するために展開する活動である。広告キャンペーンは、新製品の知名度向上、既存商品の売り上げ増など、あるいは企業イメージの向上などを目的としている。
【０００３】
カラオケ事業者は、カラオケに付随するサービスやビジネスを多角的に展開して収益の向上を目指している。そしてカラオケ装置のディスプレイやスピーカを媒体として、他の企業の広告キャンペーンを実施し、広告主から広告収入も得るビジネスモデルを構築している。具体的には、カラオケ演奏の合間などに、カラオケ装置のディスプレイに広告映像を表示させたり、広告音声をスピーカに音響出力させたりする。
【発明の開示】
【発明が解決しようとする課題】
【０００４】
カラオケ装置を媒体とした広告キャンペーンは、カラオケという場を意識し、自ずと、新譜のＣＤや新人歌手の紹介などが多い。しかしながら、カラオケが老若男女を問わず、多くの利用者が楽しめる娯楽であることから、ジャンルを問わず、様々な広告を告知する場として活用できると本発明者らは考えた。
【０００５】
たとえば、カラオケ店舗では飲食ができることから、新製品の飲料やスナック菓子などを認知させることを目的として広告キャンペーンをカラオケ装置を媒体として実施したとする。そして、その新製品をメニューの品目としてカラオケの場で注文できるようにする。それによって、単純に広告番組（広告の映像や音声）を提示するよりもキャンペーンの目的が達成される可能性が高い。もちろん、利用者の嗜好はさまざまであり、広告番組の内容も多種多様なジャンルから採用できる。
【０００６】
本発明者らは、カラオケ装置を使って広告キャンペーンを成功させるためには、カラオケというキャンペーンを実施する場所や状況にのみ着目するのではなく、カラオケ装置に潜在する優れたユーザインタフェース機能に着目するも必要であると考えた。すなわち、カラオケ装置の利用者は、コンピュータについて全くの初心者から専門技能を有する者まで多種多様であり、カラオケ装置は、それら利用者にほぼ一様な操作環境を提供している。そしてカラオケ装置は、プログラムを追加実装することで様々な機能を付加することが可能であることから、極めて効率的に広告キャンペーンを実施できるコンピュータシステムとしての潜在能力を備えている、と言える。
【０００７】
一般的に、広告キャンペーンの目標達成度は広告番組の露出度と比例関係にある。すなわち、広告番組の露出は、広告キャンペーンを視聴者に認知させたり理解させたりするための機会であり、露出を繰り返すことにより、利用者がキャンペーンの内容を認知し趣旨を理解する。しかし、闇雲に広告番組の露出機会を増やしたり、一方的に広告番組を提示したりすることは、広告宣伝費用に対する効果を考えると、キャンペーンの目標達成手段としては効率的ではない。広告番組の露出回数に対する広告キャンペーンを認知度や理解度を向上させるためには、広告番組の視聴対象となる利用者が事前に広告番組が提示されることを意識したり、提示されることに対して賛同や納得をしていたりすることが必要である。
【０００８】
カラオケ装置で広告キャンペーンを実施する際に問題となる点は、カラオケ装置を媒体とした広告番組がカラオケ利用者にとって必ずしも有用な情報であるとは限らず、却って煩わしい場合がある、ということである。楽曲演奏の合間に広告を提示する場合では、カラオケ演奏の予約が詰まっていると、次から次へ楽曲が演奏され、広告映像を表示する機会や時間が減少し、カラオケ事業者や広告主が広告代の請求や支払いについての根拠自体がなくなる可能性もある。
【課題を解決するための手段】
【０００９】
本発明は、次の事項（１）〜（12）によって特定される。  
（１）ユーザインタフェースと、広告データベースにアクセスする手段と、制御手段を備えたカラオケ装置であること
（２）ユーザインタフェースは、制御手段の制御により、利用者に情報を提示するとともに利用者入力情報を受け付け可能とすること
（３）広告データベースは、キャンペーン目録と、広告露出計画集と、複数の広告番組を格納すること
（４）キャンペーン目録は、キャンペーンＩＤと、キャンペーン紹介記事と、露出度と、報酬値とを対応付けすること
（５）広告露出計画集は、キャンペーンＩＤと露出度と広告露出計画のセットを複数含むこと
（６）広告露出計画は、少なくとも一つの番組ＩＤと広告出力条件とを含むこと
（７）広告出力条件は、カラオケ演奏との関係において広告番組の出力機会と頻度を規定すること
（８）広告番組は、番組ＩＤに対応付けされた音声作品または映像作品または音声映像作品からなること
（９）制御手段は、紹介処理と、広告処理と、報酬処理とを可能とすること
（10）紹介処理は、キャンペーン目録に基づいて、キャンペーン紹介記事と露出度別の報酬値を利用者に提示するとともに、キャンペーンＩＤおよび露出度を特定する利用者入力受け付けること
（11）広告処理は、紹介処理で受け付けたキャンペーンＩＤおよび露出度に該当する広告露出計画に基づき、当該計画に規定された広告出力条件で、当該計画中の番組ＩＤの広告番組をカラオケ演奏に関連して出力すること
（12）報酬処理は、広告処理の終了時期に紹介処理で受け付けたキャンペーンＩＤおよび露出度に該当する報酬値を出力すること
【００１０】
また本発明は、上記事項（１）〜（12）に加え、以下の事項（21）〜（24）、または以下の事項（31）（32）、または以下事項（41）〜（43）によって特定されるカラオケ装置であってもよい。
【００１１】
（21）利用者ＩＤと報酬値とを対応付けして記憶した報酬値データベースにアクセスする手段を備えること
（22）ユーザインタフェースは、利用者ＩＤの入力を可能とすること
（23）紹介処理は、キャンペーンＩＤと露出度に加え、利用者ＩＤの入力を受け付けること
（24）報酬処理は、前記報酬値を紹介処理にて受け付けた利用者ＩＤに対応付けして報酬値データベースに向けて出力すること
【００１２】
（31）ＰＯＳシステムと通信する手段を備えること
（32）前記報酬処理は、報酬値をＰＯＳシステムに向けて出力すること
【００１３】
（41）電子マネー機能を備えたＩＣカードと通信し、ＩＣカードに記憶されている電子マネー残高を更新する手段を備えること
（42）報酬値と電子マネー額との対応関係を記憶する手段を備えること
（43）前記報酬処理は、通信中のＩＣカードの記憶残高を報酬値に相当する電子マネー額だけ増額させること
【発明の効果】
【００１４】
本発明者らは、広告キャンペーンを実施する際に広告番組を利用者に提示するのに当たり、まず、その提示自体の許可を利用者から得ることが必要と考えた。また、広告番組を視聴する代償として、利用者に何らかの報酬を与えることも必要であるとも考えた。広告番組の提示機会や頻度も利用者が自由に選択できるようにすれば、利用者は、広告番組の視聴行為が報酬に見合うものであると認識し、積極的に広告キャンペーンの実施に賛同し、結果的に、利用者が意識的に広告番組を視聴し、露出度に対する広告キャンペーンの認知度や理解度も向上するはずである。そして、広告番組の提示条件を利用者の希望通りに設定する際には、カラオケ装置の優れたユーザインタフェースが、その設定作業に対する利用者の敷居を低くする。本発明、このような効果を期待して創作されたものである。
【発明を実施するための最良の形態】
【００１５】
＝＝＝ネットワーク構成＝＝＝
図１に本発明の実施例におけるカラオケ装置を含むネットワーク構成を示した。この実施例のカラオケ装置１は、周知の通信カラオケシステムの一部であり、複数の客室１２０を備えたカラオケ店舗１００において、同じ客室１２０にあるカラオケ演奏端末（以下、演奏端末）２と当該演奏端末２を操作するための客室端末３０とにより構成される。カラオケ店舗１００にはＬＡＮ１１０が敷設され、このＬＡＮ１１０を介して各客室１２０の演奏端末２と同室の客室端末３０とが通信する。
【００１６】
客室端末３０は、タッチパネルを主体としたユーザインタフェースを備えたタブレットコンピュータと同様のハードウエア構成であり、所定規格の無線ＬＡＮインタフェース（IEEE 802.11a，IEEE 802.11b，IEEE 802.11gなど）を実装し、内蔵する外部記憶に同室の演奏端末２についての所在情報（ＩＰアドレスなど）を記憶している。それによって、無線アクセスポイント４０を介してＬＡＮ１１０に接続し、演奏端末２と通信する。そして、インストールされているプログラムの実行により、ＧＵＩを通じて利用者と対話し、楽曲の演奏予約など、演奏端末２を操作するためのリモコン装置として機能する。なお、各店舗１００のＬＡＮ１１０はルータ７０を介してインターネット８０ａや、インターネット８０ａを利用したＶＰＮ８０ｂに接続され、演奏端末２はＶＰＮ８０ｂを介して接続したカラオケ事業者のホスト装置９０からカラオケ楽曲の伴奏音楽や起源となるカラオケデータの配信を受ける。
【００１７】
また、ＬＡＮ１１０には、周知のＰＯＳシステム６０がゲートウエイ５０を介して接続されており、通信プロトコルが異なるカラオケ装置１とＰＯＳシステム６０は、ゲートウエイ５０を介して通信する。ＰＯＳシステム６０は、店舗１００における売上を管理するオーダリングコントローラなどと呼ばれるコンピュータと、利用者からの注文に関する情報をオーダリングコントローラへ無線送信するＰＯＳ端末、ＰＯＳ端末より入力された注文情報（品目、数量、配膳先など）を印刷して厨房に伝えるためのプリンタ、レジ精算時に価格計算やレシートの発行を行うＰＯＳ対応レジスタなどを含んで構成されている。なお本実施例では、客室端末３０は、実装するプログラムの実行により、客が操作する形態のＰＯＳ端末（電子メュー注文装置）としての機能を備え、ＰＯＳシステム６０は、客室端末３０から受け付けた注文情報に基づいて、上述したような厨房における注文情報の印刷やレシートの発行など、その後のＰＯＳ業務に関わる処理を実行する。
【００１８】
さらに本実施例では、カラオケ事業者は、電子マネー決済機構（以下、決済機構）に加盟しており、カラオケ店舗におけるカラオケに関わる各種サービス代金や飲食代金を電子マネーにより支払えるサービスを提供している。インターネット８０ａには、決済機構が管理する決済センターコンピュータ３００が接続され、客室端末３０は、電子マネー機能付きのＩＣカードの記憶情報を読み書きするためのＩＣカードインタフェースを備え、インターネット８０ａを介して決済センターコンピュータ３００と通信し、利用者は、カラオケに付随する各種オプションサービスや飲食に関わる代金を電子マネーで支払えるようになっている。
【００１９】
また、本実施例のホスト装置９０は、会員登録されている利用者を各ＩＣカードに固有のＩＣカード番号によって識別管理し、当該ＩＣカード番号に会員の個人情報やカラオケの利用に関わる履歴情報などを対応付けして管理する会員管理コンピュータとしての機能も有している。
【００２０】
＝＝＝演奏端末の基本的な構成と動作＝＝＝
図２に演奏端末２の機能ブロック構成を示した。中央制御部１１は、各周辺構成部を制御して演奏端末２を統括し、ハードディスク装置１２には、多数のカラオケ楽曲について、ＭＰ３形式などの圧縮符号化された音声データやＭＩＤＩデータなどの伴奏音楽データと、歌詞画像の生成起源となる歌詞描出データとを含むカラオケデータが蓄積されている。また、曲名やアーティスト名などの目次情報と、所定形式の長時間分の動画データと、動画データの処理シーケンス（処理すべき動画データの格納場所と処理順番など）を規定した台本データなども格納されている。そして、中央制御部１１は、各楽曲のカラオケデータや目次情報、台本データなどを楽曲ＩＤによって識別し、これをカラオケデータベースとして管理している。そして、ネットワークインタフェース２２を介して適時に接続したホスト装置９０からカラオケデータを受け取ってカラオケデータベースの内容を更新する。
【００２１】
客室端末３０の外部記憶には、演奏端末２に蓄積されているものと同様の目次情報が蓄積され、客室端末３０では、この目次情報が楽曲索引データベースとして管理されている。客室端末３０は、タッチパネルを介した利用者との対話を通じて目次情報の断片をクエリーとして受け付け、該当するカラオケ楽曲の目次情報を楽曲索引データベースより取り出して提示する。そして、客室端末３０において、最終的にカラオケ楽曲が１曲に特定され、その楽曲を演奏予約する旨の利用者入力がなされると、楽曲ＩＤを含む演奏予約コマンドのコードを無線ＬＡＮインタフェースを介して接続したＬＡＮ１１０を経由して同じ客室１２０にある演奏端末２に向けて転送する。
【００２２】
演奏端末２の中央制御部１１は、客室端末３０からＬＡＮ１１０を経由して送付されてきた楽曲ＩＤをネットワークインタフェース２２を介して受け取る。あるいは、演奏端末２に配設された操作パネル１４に入力された楽曲ＩＤを操作制御部１３を介して受け取る。そして、その楽曲ＩＤを内部のＲＡＭに格納して演奏処理の待ち行列で管理するとともに、待ち行列から楽曲ＩＤを順次取り出し、その楽曲ＩＤに対応する伴奏音楽データを所定形式の圧縮符号化音声データの復号回路とシンセサイザを内蔵する音楽生成部１８に転送する。
【００２３】
音楽生成部１８は、中央制御部１１から転送されてくる伴奏音楽データをそのデータ形式に従って処理し、伴奏音楽の音声信号を生成する。歌詞描出データについては、伴奏音楽に同期して歌唱すべき箇所が色変わりする歌詞画像をビデオＲＡＭ１５に順次ビットマップ展開していく。また、楽曲ＩＤに対応する台本データに基づいて所定の動画データを所定の順番でハードディスク装置１２より取り出して映像制御部１６に順次転送し、背景映像を復号させる。
【００２４】
ミキシングアンプ１９は、音楽生成部１８からの伴奏音楽と、マイクロホン２１に入力された歌声音声とを混合・増幅してスピーカ２０より音響出力し、映像制御部１６は、復号した背景映像に歌詞画像をスーパーインポーズ処理してディスプレイ１７に表示出力する。
【００２５】
＝＝＝広告キャンペーン＝＝＝
本実施例のカラオケ装置１は、広告キャンペーンを実施するのに当たり、利用者に対して各種サービスや飲食の代金に充当できる報酬値を付与することができる。また、キャンペーンを実施する否か、実施する際に広告番組が提示される程度などを指定することができる。それによって、一方的に利用者に広告番組が提示されるのではなく、利用者がキャンペーンの実施について十分に納得し、積極的に関わっていくことができる。
【００２６】
＝＝＝広告データベース＝＝＝
演奏端末２のハードディスク装置１２には、広告キャンペーンを実施するための情報群が記憶され、中央制御部１１は、その情報群を広告データベースとして管理している。図３〜図５に広告データベースにて管理されている各種情報の概略構成を示した。広告データベースには、キャンペーン目録と、広告露出計画集と、複数の広告番組が格納され（図３）、キャンペーン目録は、キャンペーン紹介記事と、露出度別の報酬値がキャンペーンＩＤに対応付けされている（図４）。キャンペーンＩＤは、たとえば、特定の商品の販促に関わるキャンペーンなど、一つの目的に対応するキャンペーンに対応する識別子であり、キャンペーン目録は、各キャンペーンＩＤについて、該当するキャンペーンの概要を説明する紹介記事と当該キャンペーンのために制作された広告番組を視聴した際の報酬値をその番組の露出度に対応付けした情報群である。露出度と報酬値との対応関係は、キャンペーン毎に様々であり、一つのキャンペーンに対して複数設定されている場合もあるし、一つだけ設定されている場合もある。なお、露出度とは、カラオケ演奏と広告番組の提示との時間や機会の割合、あるいは広告番組の種別（音声、映像など）に応じてキャンペーン主催者が設定した値であり、本実施例では、露出度の度数が高いほど広告番組の提示機会や時間が多くなったり、音声付き映像など、訴求効果が高い内容の広告番組が提示されたりする可能性が高い。
【００２７】
広告露出計画集は、各キャンペーンＩＤについて、露出度と広告露出計画のセットを複数含んでいる（図５）。広告番組は番組ＩＤによって識別され、各広告露出計画は、少なくとも一つの番組ＩＤと広告出力条件とを含んでいる。広告出力条件とは、カラオケ演奏との関係において広告番組の出力機会と頻度を規定したものであり、出力機会は、広告番組を提示するタイミングに関する情報で、たとえば、カラオケ楽曲の演奏の合間、最後の予約楽曲を受け付けてから所定時間が経過したとき、演奏待機中の楽曲が１曲もないとき、最初の予約を受け付けるまで、最初の予約楽曲を演奏するまで、などである。映像のみの広告番組であれば、歌詞画像の背景として表示するように条件が指定されている場合もある。頻度は、カラオケ楽曲の演奏時間や演奏機会と、広告番組の露出機会とを対付けするものであり、たとえば、カラオケ楽曲を所定回数演奏する毎に１回広告番組を提示する、カラオケ楽曲を所定回数演奏する毎に所定時間の広告番組露出時間を設ける、映像のみの広告番組であれば、２曲の演奏機会に一回は広告番組を歌詞画像の背景として表示する、など、適宜に規定される。概して、露出度と頻度は比例関係にあり、また露出度が高いほど、映像を伴った広告番組などが対応付けされている場合が多い。
【００２８】
＝＝＝広告キャンペーンの実施＝＝＝
図６に広告キャンペーンの実施に伴うカラオケ装置１の処理の流れを示した。カラオケ事業者やカラオケ店舗では、広告キャンペーンの実施事実を、たとえば、店頭のポスターや、Ｗｅｂサイトなどに掲載するなどして利用者に事前に告知しておく。客室端末３０や演奏端末２のディスプレイに広告キャンペーンを告知する記事を表示してもよい（ｓ１）。図７に広告キャンペーンの告知記事を含む客室端末３０の画面概略を示した。この例では、客室端末３０の初期画面１３０の概略を示した。演奏予約のための各種機能を呼び出すためのボタン群１３１や電子メニュー装置としての機能を呼び出すためのボタン１３２に加え、広告キャンペーンが実施中である旨を告知する記事２０１と、利用者によるタッチ入力を受け付けて広告キャンペーンに関する詳細情報を記載した画面へ遷移させるための「キャンペーン紹介」ボタン２０２とが表示されている。なお、この告知記事２０１や「キャンペーン紹介」ボタン２０２は、客室端末３０が表示する所定の複数の画面、あるいは全ての画面に配設しておいてもよい。それによって、利用者が演奏端末に対する操作や飲食物の注文操作を行っている途上でいつでも広告キャンペーンを実施させることができる。
【００２９】
また、図８に演奏端末２のディスプレイ１７に表示される告知記事の概略を示した。本実施例では、カラオケ利用者が演奏端末２や客室端末３０の使用を開始する前、あるいは広告キャンペーンが実施されていないときの演奏の合間などに、演奏端末２のディスプレイ１７に広告キャンペーンが実施中である旨の告知記事２１１と、客室端末３０における上記詳細情報の掲載画面を表示させるための操作方法２１２とを表示する。
【００３０】
客室端末３０は、利用者による「キャンペーン紹介」ボタン２０２への指示を受け付けると、キャンペーン目録の送付要求を演奏端末２に送信する。演奏端末２は、当該要求に基づいて広告データベースに格納されているキャンペーン目録を客室端末３０に返送する。もちろん、広告データベースのための情報記憶領域が客室端末３０の外部記憶と演奏端末２のハードディスク装置１２に分散配置され、キャンペーン目録が客室端末３０の外部記憶に格納されている構成であってもよい。客室端末３０は、演奏端末２からキャンペーン目録を受け取ると、当該目録の内容を表示する（ｓ２→ｓ３）。図９（Ａ）（Ｂ）にキャンペーン目録の表示画面概略を示した。各キャンペーンの目録画面１５０には、各キャンペーンＩＤ１５１に該当するキャンペーンについて、紹介記事１５２が記載されるとともに、広告番組の露出度と報酬値との対応関係１５３が表示される。キャンペーン目録画面１５０には、露出度と報酬値との対応関係の記載に対応して「広告番組を希望する」ボタン１５４が配設されている。他のキャンペーンに関する目録を表示したい場合には、キャンペーン目録画面の「次へ」ボタン１５５、あるいは「戻る」ボタン１５６を指示して順次目録を表示させたり、直前に表示した画面に戻したりする。
【００３１】
利用者が、あるキャンペーンに関し、特定の露出度での広告番組の提示を許可したならば、当該露出度に対応する「広告番組を希望する」ボタン１５４を指示する。すなわち、一つのキャンペーンについて露出度が複数設定されている場合には、キャンペーンと露出度とを利用者が指定できるようになっている（Ａ）。露出度と報酬値との対応関係が一つである場合では「広告番組を希望する」ボタン１５４が一つ配設され、そのボタン１５４を指示すると自動的に露出度が指定されたことになる（Ｂ）。そして、客室端末３０は、「広告番組を希望する」ボタン１５４への指示を受け付けると、そのとき表示していた広告キャンペーン目録のキャンペーンＩＤと、当該指示されたボタン１５４に対応する露出度とを演奏端末２に送信する。
【００３２】
演奏端末２は、キャンペーンＩＤと露出度との組みに該当する広告露出計画を広告露出計画集から抽出し、当該計画によって規定されている広告出力条件に基づいて広告番組を提示する（ｓ４→ｓ５〜ｓ８）。そして、退出時などに利用者や店員が演奏端末２の使用終了の旨を客室端末３０に入力すると、その使用終了情報が演奏端末２に送信される。演奏端末２は、この使用終了情報の受信を広告番組の提示処理の終了時期として認知し、先に受け付けたキャンペーンＩＤと露出度とに対応付けされた報酬値を適宜に出力する（ｓ９→ｓ１０）。報酬値の出力先や出力形態としては、たとえば、報酬値をＰＯＳシステム６０に送付し、客が精算するときにＰＯＳ対応レジスタがその報酬値に応じた料金を割引したレシートを発行し、そのレシートに基づいてカラオケ利用代金や客室１２０での飲食代を客に請求すればよい。
【００３３】
＝＝＝報酬値の出力形態＝＝＝
＜ＰＯＳシステムに対する出力手順＞
上記実施例では、客室端末３０にて演奏端末２の使用終了の旨が入力されると、演奏端末２が報酬値をＰＯＳシステム６０に宛てて出力していた。この例に限らず、たとえば、フロントでの精算時に、ＰＯＳ対応レジスタが演奏端末２に対し、キャンペーンの実施の有無や実施したキャンペーンに基づく報酬値を問い合わせて報酬値を返送してもらってもよい。
【００３４】
＜表示出力・印刷出力＞
店員が、客が入店して客室１２０に入る前に、その客室１２０の演奏端末２に対し、当該客の客室利用終了時間を設定する。そして演奏端末２は、終了時間の到来を監視し、終了時間直前など適宜な時期になると報酬値を適宜に出力する。出力先としては、演奏端末２に接続されたプリンタであってもよいし、ディスプレイ１７であってもよい。ディスプレイ１７へ報酬値を出力する場合には、客が精算時に虚偽の報酬値や、間違った報酬値を報告する可能性があるので、たとえば、報酬値に対応する文字列や複数桁の番号を表示し、客が店員にその文字列や番号を申告する。店員は、申告された文字列や番号が所定の報酬値を示すものであると確認すれば、その報酬値相当分の料金を割り引いた額を客に請求すればよい。
【００３５】
＜会員に対する報酬値の還元サービス＞
上述したように、ホスト装置９０は会員登録された利用者の個人情報を管理している。会員が会員制サービスを利用する際には、客室端末３０のＩＣカードインタフェースに会員が所持するＩＣカードの記憶情報を読み取らせ、そのカードのカード番号を認証情報としてホスト装置９０に送付してログイン手続きを行う。それによって、ホスト装置９０は、ログインしてきた会員が演奏端末２を現に使用していることを認知する。
【００３６】
そこで、複数の会員を含むグループが演奏端末２を使用し、広告キャンペーンを実施させた際、演奏端末２は、そのグループにおいてログインしていた会員に対し、一律に指定の報酬値、あるいは指定の報酬値をログインしていた会員の数で割った値をホスト装置９０に送付する。ホスト装置９０は、送付されてきた会員と報酬値の対応関係を記憶する。そして、その報酬値を適宜なサービスに換えて会員に還元する。なお、報酬値の還元サービスとしては、たとえば、所定の報酬値が貯まった時点で、賞品を会員に授与することが考えられる。ホスト装置９０は、報酬値の還元サービス対象会員の個人情報に基づき、住所や連絡先を取得し、会員の住所に賞品を送付したり、連絡先に賞品の受け取り方法などを通知したりすればよい。
【００３７】
＜電子マネーによる報酬値の還元＞
上述したように、カラオケ事業者は、登録会員に対し電子マネー機能付きのＩＣカードを付与している。そして客室端末３０にはＩＣカードの記憶情報を読み書きするためのカードインタフェースが実装されている。具体的には、会員はＩＣカード毎に固有のカード番号を自身の認証情報とし、ＩＣカードのカード番号を客室端末３０のカードインタフェースを介して入力すると、そのカード番号がホスト装置９０に送付され、ホスト装置９０は、該当会員がログインした旨を認知する。また、客室端末３０はインターネット８０ａ上にある電子マネー事業者が管理する決裁コンピュータ３００と通信可能であり、電子マネーによる各種代金の支払い端末、および電子マネーの入金装置として機能する。
【００３８】
そこで、会員のＩＣカードに対応付けされている電子マネーを報酬値に相当する額だけ増額させることが考えられる。ここで、電子マネー相当分の通貨は、会員ではなく、カラオケ事業者が支払うようにする。たとえば、報酬値相当分の電子マネーを会員のＩＣカードに入金する際には、客室端末３０がホスト装置９０にカード番号と報酬値とを通知し、ホスト装置９０は、通知されたカード番号に報酬値分の電子マネーを入金するように決裁コンピュータ３００に依頼する。そして、この依頼処理が終了したならば、その旨を客室端末３０に通知し、客室端末３０は、ＩＣカードの電子マネーの残高を報酬値相当分だけ増額して書き換える。
【図面の簡単な説明】
【００３９】
【図１】本発明の実施例におけるカラオケ装置を含むネットワーク構成図である。
【図２】上記カラオケ装置を構成するカラオケ演奏端末の機能ブロック図である。
【図３】上記カラオケ装置にて管理されている広告データベースの概略図である。
【図４】上記広告データベースに含まれるキャンペーン目録の概略図である。
【図５】上記広告データベースに含まれる広告露出計画集の概略図である。
【図６】上記カラオケ装置が実施する広告キャンペーンの処理の流れ図である。
【図７】上記カラオケ装置を構成する客室端末が表示する初期画面の概略図である。
【図８】上記演奏端末が表示する広告キャンペーン告示画面の概略図である。
【図９】上記客室端末が表示するキャンペーン目録画面の概略図である。
【符号の説明】
【００４０】
１  カラオケ装置
２  カラオケ演奏端末
１１  中央制御部
１２  ハードディスク装置
３０  客室端末
【図１】
0004499066.tif 000002
【図２】
0004499066.tif 000003
【図３】
0004499066.tif 000004
【図４】
0004499066.tif 000005
【図５】
0004499066.tif 000006
【図６】
0004499066.tif 000007
【図７】
0004499066.tif 000008
【図８】
0004499066.tif 000009
【図９】
0004499066.tif 000010